(57)【要約】【課題】保健指導システムにおいて、指導者及び参加者は、互いにコメントを書込むことができ、指導者は、参加者の体重数値及び参加者コメントに基づいて保健指導を行うことができるようにする。【解決手段】保健指導システム１は、サーバ２と指導者用コンピュータ３と参加者用コンピュータ５とを備える。参加者用コンピュータ５のＣＰＵ５ｄは、参加者ＩＤが認証され、体重数値が入力されたことに応じて、参加者ＩＤ、日付、及び該体重数値を関連付けてサーバ２の体重データテーブル９２に記憶させ、参加者コメントが入力されたことに応じて、該参加者ＩＤと該参加者コメントとを関連付けてサーバ２のコメントデータテーブル９３に記憶させる。指導者用コンピュータ３のＣＰＵ３ｄは、指導者ＩＤが認証され、指導者コメントが入力されたことに応じて、該指導者ＩＤ及び該指導者コメントを関連付けてコメントデータテーブル９３に記憶させる。【選択図】図１
2010277476.tif 000002
【特許請求の範囲】
【請求項１】
電気通信回線を介して互いに接続される少なくとも３台のコンピュータを備えた保健指導システムにおいて、
サーバと、参加者に対して保健指導を行う指導者に使用される指導者用コンピュータと、参加者に使用される参加者用コンピュータとを備え、
前記サーバは、参加者の体重を体重数値として記憶する記憶部と、該サーバ全体を制御するサーバ用制御手段とを備え、
前記指導者用コンピュータは、データまたは命令が入力される指導者用入力手段と、データを表示する指導者用表示手段と、該指導者用コンピュータ全体を制御する指導者用制御手段とを備え、
前記参加者用コンピュータは、データまたは命令が入力される参加者用入力手段と、データを表示する参加者用表示手段と、該参加者用コンピュータ全体を制御する参加者用制御手段とを備え、
前記記憶部は、
参加者に割り当てられた参加者ＩＤと、指導者に割り当てられた指導者ＩＤと、該参加者ＩＤ及び該指導者ＩＤをグループとして管理するグループナンバーとを関連付けて記憶するユーザＩＤテーブルと、
参加者の参加者ＩＤと、該参加者ＩＤが割り当てられた参加者の体重数値と、該体重数値が測定された日付とを関連付けて記憶する体重データテーブルと、
参加者によるコメントを参加者コメントとし、参加者に対する指導者によるコメントを指導者コメントとして、該参加者コメント及び該指導者コメントを該参加者ＩＤと関連付けて記憶するコメントデータテーブルとを記憶し、
前記サーバ用制御手段は、
前記参加者用入力手段または前記指導者用入力手段に前記参加者ＩＤまたは前記指導者ＩＤが入力されたことに応じて、前記ユーザＩＤテーブルを参照することにより該参加者ＩＤまたは該指導者ＩＤの認証を行い、
該参加者ＩＤが認証された状態であって、該参加者用入力手段に前記体重数値が入力されたとき、該参加者ＩＤ、前記日付、及び該体重数値を関連付けて前記体重データテーブルに記憶させ、該参加者ＩＤが認証された状態であって、該参加者用入力手段に前記参加者コメントが入力されたとき、該参加者ＩＤ及び該参加者コメントを関連付けて前記コメントデータテーブルに記憶させ、
該指導者ＩＤが認証された状態であって、該指導者用入力手段に前記指導者コメントが入力されたことに応じて、該指導者ＩＤ及び該指導者コメントを関連付けて該コメントデータテーブルに記憶させることを特徴とした保健指導システム。
【請求項２】
前記サーバ用制御手段は、
前記体重データテーブル及び前記コメントデータテーブルに記憶されている前記参加者ＩＤから、認証した該参加者ＩＤを特定し、該体重データテーブルにおいて、特定された該参加者ＩＤに関連付けられた前記日付及び前記体重数値に基づいて、該体重数値の日々の変化を示す変移グラフを作成し、最も古い該日付に関連付けられた該体重数値を基準値として、全ての該体重数値について該基準値との差分を増減値として算出し、
さらに、該コメントデータテーブルから特定された該参加者ＩＤに関連付けられた前記参加者コメントまたは前記指導者コメントを抽出し、
前記参加者用制御手段は、
前記参加者用表示手段に、前記変移グラフと前記増減値を表示するグラフ表示窓と、抽出された前記日付及び前記体重数値を表示する体重数値表示窓と、抽出された前記参加者コメントまたは前記指導者コメントを表示するコメント表示窓とを備える個人データ表示画面を表示させることを特徴とした請求項１に記載の保健指導システム。
【請求項３】
前記サーバ用制御手段は、
前記ユーザＩＤテーブルから、認証した前記参加者ＩＤに関連付けられた前記グループナンバーを特定し、さらに、特定された該グループナンバーに関連付けられた全ての該参加者ＩＤを特定し、
前記参加者用制御手段は、
前記参加者用表示手段に、特定された全ての前記参加者ＩＤについての前記グラフ表示窓及び前記コメント表示窓を備える参加者データ表示画面を表示させることを特徴とした請求項２に記載の保健指導システム。
【請求項４】
前記参加者用制御手段は、
前記参加者データ表示画面に、前記体重数値を表示させないことを特徴とした請求項３に記載の保健指導システム。
【請求項５】
前記記憶部は、前記参加者ＩＤと、日付と、朝食、昼食、または夕食の種別を示す食事種別と、食事写真とを関連付けて記憶する食事データテーブルをさらに記憶し、
前記参加者用コンピュータは、前記食事写真を取込む写真取込手段をさらに備え、
前記参加者用制御手段は、
前記指導者ＩＤが認証された状態であって、前記写真取込手段に前記食事写真が取込まれ、さらに前記参加者用入力手段に前記食事種別が入力されたことに応じて、前記食事テーブルに該参加者ＩＤと、該食事写真が取込まれた日付と、該食事種別と、該食事写真とを関連付けて記憶させ、
前記個人データ表示画面または前記参加者データ表示画面は、前記食事テーブルにおいて前記参加者ＩＤに関連付けられた前記食事種別及び前記食事写真を表示する食事データ表示窓をさらに備えることを特徴とした請求項２乃至請求項４のいずれか一項に記載の保健指導システム。
【請求項６】
前記指導者用制御手段は、前記指導者ＩＤが認証された状態であって、前記指導者用入力手段に前記個人データ表示画面または前記参加者データ表示画面を表示させる命令が入力されたことに応じて、前記指導者用表示手段に該個人データ表示画面または該参加者データ表示画面を表示させることを特徴とした請求項２乃至請求項５のいずれか一項に記載の保健指導システム。
【請求項７】
参加者に対して保健指導を行う指導者に使用される指導者用コンピュータと、参加者に使用される参加者用コンピュータとに電気通信回線を介して接続されるサーバを用いて保健指導を行う保健指導プログラムにおいて、
前記サーバは、参加者の体重を体重数値として記憶する記憶部を備え、
前記指導者用コンピュータは、データまたは命令が入力される指導者用入力手段と、データを表示する指導者用表示手段とを備え、
前記参加者用コンピュータは、データまたは命令が入力される参加者用入力手段と、データを表示する参加者用表示手段とを備え、
前記記憶部に、参加者に割り当てられた参加者ＩＤと、指導者に割り当てられた指導者ＩＤと、該参加者ＩＤ及び該指導者ＩＤをグループとして管理するグループナンバーとを関連付けて記憶するユーザＩＤテーブルと、参加者の参加者ＩＤと、該参加者ＩＤが割り当てられた参加者の体重数値と、該体重数値が測定された日付とを関連付けて記憶する体重データテーブルと、参加者によるコメントを参加者コメントとし、参加者に対する指導者によるコメントを指導者コメントとして、該参加者コメント及び該指導者コメントを該参加者ＩＤと関連付けて記憶するコメントデータテーブルとを記憶させるステップと、
前記参加者用入力手段または前記指導者用入力手段に前記参加者ＩＤまたは前記指導者ＩＤが入力されたことに応じて、前記ユーザＩＤテーブルを参照することにより該参加者ＩＤまたは該指導者ＩＤの認証を行わせるステップと、
該参加者ＩＤが認証された状態であって、該参加者用入力手段に前記体重数値が入力されたとき、該参加者ＩＤ、前記日付、及び該体重数値を関連付けて前記体重データテーブルに記憶させ、該参加者ＩＤが認証された状態であって、該参加者用入力手段に前記参加者コメントが入力されたとき、該参加者ＩＤ及び該参加者コメントを関連付けて前記コメントデータテーブルに記憶させるステップと、
該指導者ＩＤが認証された状態であって、該指導者用入力手段に前記指導者コメントが入力されたことに応じて、該指導者ＩＤ及び該指導者コメントを関連付けて該コメントデータテーブルに記憶させるステップと、を前記サーバに実行させることを特徴とした保健指導プログラム。
【請求項８】
前記体重データテーブル及び前記コメントデータテーブルに記憶されている前記参加者ＩＤから、認証した該参加者ＩＤを特定させ、該体重データテーブルにおいて、特定された該参加者ＩＤに関連付けられた前記日付及び前記体重数値に基づいて、該体重数値の日々の変化を示す変移グラフを作成させ、最も古い該日付に関連付けられた該体重数値を基準値として、全ての該体重数値について該基準値との差分を増減値として算出させるステップと、
該コメントデータテーブルから特定された該参加者ＩＤに関連付けられた前記参加者コメントまたは前記指導者コメントを抽出させるステップと、
前記参加者用入力手段に所定の命令が入力されたことに応じて、前記変移グラフと前記増減値を表示するグラフ表示窓と、抽出された前記日付及び前記体重数値を表示する体重数値表示窓と、抽出された前記参加者コメントまたは前記指導者コメントを表示するコメント表示窓とを備える個人データ表示画面を前記参加者用表示手段に表示させるステップと、を前記サーバに実行させることを特徴とした請求項７に記載の保健指導プログラム。
【請求項９】
前記ユーザＩＤテーブルから、認証した前記参加者ＩＤに関連付けられた前記グループナンバーを特定させ、さらに、特定された該グループナンバーに関連付けられた全ての該参加者ＩＤを特定させるステップと、
前記参加者用入力手段に所定の命令が入力されたことに応じて、特定された全ての前記参加者ＩＤについての前記グラフ表示窓及び前記コメント表示窓を備える参加者データ表示画面を前記参加者用表示手段に表示させるステップと、を前記サーバに実行させることを特徴とした請求項８に記載の保健指導プログラム。
【請求項１０】
前記参加者データ表示画面に前記体重数値を表示させないステップを前記サーバに実行させることを特徴とした請求項９に記載の保健指導システム。
【請求項１１】
前記参加者用コンピュータは、食事写真を取込む写真取込手段をさらに備え、
前記記憶部に、前記参加者ＩＤと、日付と、朝食、昼食、または夕食の種別を示す食事種別と、前記食事写真とを関連付けて記憶する食事データテーブルをさらに記憶させるステップと、
前記指導者ＩＤが認証された状態であって、前記写真取込手段に前記食事写真が取込まれ、さらに前記参加者用入力手段に前記食事種別が入力されたことに応じて、前記食事テーブルに該参加者ＩＤと、該食事写真が取込まれた日付と、該食事種別と、該食事写真とを関連付けて記憶させるステップと、
前記参加者用入力手段に所定の命令が入力されたことに応じて、前記個人データ表示画面または前記参加者データ表示画面に、前記食事テーブルにおいて前記参加者ＩＤに関連付けられた前記食事種別及び前記食事写真を表示する食事データ表示窓をさらに備えさせるステップと、を前記サーバに実行させることを特徴とした請求項７乃至請求項１０のいずれか一項に記載の保健指導プログラム。
【請求項１２】
前記指導者ＩＤが認証された状態であって、前記指導者用入力手段に前記個人データ表示画面または前記参加者データ表示画面を表示させる命令が入力されたことに応じて、前記指導者用表示手段に該個人データ表示画面または該参加者データ表示画面を表示させるステップを前記サーバに実行させることを特徴とした請求項７乃至請求項１１のいずれか一項に記載の保健指導プログラム。
【発明の詳細な説明】
【技術分野】
【０００１】
本発明は、指導者が参加者の体重数値、参加者が摂取した食事の写真、及び参加者コメントに基づいて保健指導を行うことができ、参加者は、他の参加者についての保健指導の内容を参照することができる保健指導システムに関する。
【背景技術】
【０００２】
我が国では、肥満がもたらす心筋梗塞や糖尿病などの生活習慣病対策が問題視された結果、２００８年４月から保健指導が義務化された。保健指導は、指導を受ける参加者に対して継続的に実施されるため、場所や時間などの制約を受けるという問題があった。そこで、保健指導は、場所や時間などの制約を受けにくい電子メールを用いて実施されることが多い。しかしながら、指導者は、電子メールを用いて複数の参加者を指導すると、電子メールのやり取りが頻繁になされるため、電子メールの管理が煩雑になるという問題があった。指導者は、電子メールの送受信や管理に手間がかかるため、複数の参加者に対して効率良くかつ適切に保健指導を行うことができない場合があった。
【０００３】
そこで、健診データや生活習慣データに基づいて、予め用意された保健指導の内容が選択されることにより、保健指導の質を保つ技術が知られている（例えば、特許文献１参照）。また、所定のタイミングで測定された体重、摂取エネルギー、または消費エネルギーに基づいて行われる保健指導を支援する技術が知られている（例えば、特許文献２参照）。さらに、電子メールによる保健指導においては、参加者は、他の参加者の指導内容を参照にすることができなかった。そこで、参加者が、他の参加者の体重、体脂肪、または血圧等を参照することにより、健康の維持に努めることができる技術が知られている（例えば、特許文献３参照）。
【０００４】
しかしながら、特許文献１に示される技術においては、指導者から指導を受ける者に対する保健指導の内容が選択されるものであり、指導者と指導を受ける者が互いにコメントをやり取りすることはできなかった。また、特許文献２に示される技術においては、体重、摂取エネルギー、または消費エネルギーに基づいて行われる保健指導を支援することができるが、指導を受ける者が摂取した食事の写真を保健指導に利用することができなかった。さらに、特許文献３に示される技術においては、参加者は、他の参加者に、自己の体重、体脂肪、または血圧等の具体的なデータを知られるという問題があった。
【先行技術文献】
【特許文献】
【０００５】
【特許文献１】特開２００９−３１９００号公報
【特許文献２】特開２００８−３３９０９号公報
【特許文献３】特開２００６−９９３０１号公報
【発明の概要】
【発明が解決しようとする課題】
【０００６】
本発明は、上記の問題を解決するためになされたものであり、指導者及び参加者は、互いにコメントを書込むことができ、指導者は、参加者の体重数値、参加者が摂取した食事の写真、及び参加者コメントに基づいて保健指導を行うことができ、さらには、参加者は、体重数値を除く他の参加者についての保健指導の内容を参照することができる保健指導システムを提供することを目的とする。
【課題を解決するための手段】
【０００７】
上記目的を達成するために請求項１の発明は、電気通信回線を介して互いに接続される少なくとも３台のコンピュータを備えた保健指導システムにおいて、サーバと、参加者に対して保健指導を行う指導者に使用される指導者用コンピュータと、参加者に使用される参加者用コンピュータとを備え、前記サーバは、参加者の体重を体重数値として記憶する記憶部と、該サーバ全体を制御するサーバ用制御手段とを備え、前記指導者用コンピュータは、データまたは命令が入力される指導者用入力手段と、データを表示する指導者用表示手段と、該指導者用コンピュータ全体を制御する指導者用制御手段とを備え、前記参加者用コンピュータは、データまたは命令が入力される参加者用入力手段と、データを表示する参加者用表示手段と、該参加者用コンピュータ全体を制御する参加者用制御手段とを備え、前記記憶部は、参加者に割り当てられた参加者ＩＤと、指導者に割り当てられた指導者ＩＤと、該参加者ＩＤ及び該指導者ＩＤをグループとして管理するグループナンバーとを関連付けて記憶するユーザＩＤテーブルと、参加者の参加者ＩＤと、該参加者ＩＤが割り当てられた参加者の体重数値と、該体重数値が測定された日付とを関連付けて記憶する体重データテーブルと、参加者によるコメントを参加者コメントとし、参加者に対する指導者によるコメントを指導者コメントとして、該参加者コメント及び該指導者コメントを該参加者ＩＤと関連付けて記憶するコメントデータテーブルとを記憶し、前記サーバ用制御手段は、前記参加者用入力手段または前記指導者用入力手段に前記参加者ＩＤまたは前記指導者ＩＤが入力されたことに応じて、前記ユーザＩＤテーブルを参照することにより該参加者ＩＤまたは該指導者ＩＤの認証を行い、該参加者ＩＤが認証された状態であって、該参加者用入力手段に前記体重数値が入力されたとき、該参加者ＩＤ、前記日付、及び該体重数値を関連付けて前記体重データテーブルに記憶させ、該参加者ＩＤが認証された状態であって、該参加者用入力手段に前記参加者コメントが入力されたとき、該参加者ＩＤ及び該参加者コメントを関連付けて前記コメントデータテーブルに記憶させ、該指導者ＩＤが認証された状態であって、該指導者用入力手段に前記指導者コメントが入力されたことに応じて、該指導者ＩＤ及び該指導者コメントを関連付けて該コメントデータテーブルに記憶させるものである。
【０００８】
請求項２の発明は、請求項１に記載の発明において、前記サーバ用制御手段は、前記体重データテーブル及び前記コメントデータテーブルに記憶されている前記参加者ＩＤから、認証した該参加者ＩＤを特定し、該体重データテーブルにおいて、特定された該参加者ＩＤに関連付けられた前記日付及び前記体重数値に基づいて、該体重数値の日々の変化を示す変移グラフを作成し、最も古い該日付に関連付けられた該体重数値を基準値として、全ての該体重数値について該基準値との差分を増減値として算出し、さらに、該コメントデータテーブルから特定された該参加者ＩＤに関連付けられた前記参加者コメントまたは前記指導者コメントを抽出し、前記参加者用制御手段は、前記参加者用表示手段に、前記変移グラフと前記増減値を表示するグラフ表示窓と、抽出された前記日付及び前記体重数値を表示する体重数値表示窓と、抽出された前記参加者コメントまたは前記指導者コメントを表示するコメント表示窓とを備える個人データ表示画面を表示させるものである。
【０００９】
請求項３の発明は、請求項２に記載の発明において、前記サーバ用制御手段は、前記ユーザＩＤテーブルから、認証した前記参加者ＩＤに関連付けられた前記グループナンバーを特定し、さらに、特定された該グループナンバーに関連付けられた全ての該参加者ＩＤを特定し、前記参加者用制御手段は、前記参加者用表示手段に、特定された全ての前記参加者ＩＤについての前記グラフ表示窓及び前記コメント表示窓を備える参加者データ表示画面を表示させるものである。
【００１０】
請求項４の発明は、請求項３に記載の発明において、前記参加者用制御手段は、前記参加者データ表示画面に前記体重数値を表示させないものである。
【００１１】
請求項５の発明は、請求項２乃至請求項４のいずれか一項に記載の発明において、前記記憶部は、前記参加者ＩＤと、日付と、朝食、昼食、または夕食の種別を示す食事種別と、食事写真とを関連付けて記憶する食事データテーブルをさらに記憶し、前記参加者用コンピュータは、前記食事写真を取込む写真取込手段をさらに備え、前記参加者用制御手段は、前記指導者ＩＤが認証された状態であって、前記写真取込手段に前記食事写真が取込まれ、さらに前記参加者用入力手段に前記食事種別が入力されたことに応じて、前記食事テーブルに該参加者ＩＤと、該食事写真が取込まれた日付と、該食事種別と、該食事写真とを関連付けて記憶させ、前記個人データ表示画面または前記参加者データ表示画面は、前記食事テーブルにおいて前記参加者ＩＤに関連付けられた前記食事種別及び前記食事写真を表示する食事データ表示窓をさらに備えるものである。
【００１２】
請求項６の発明は、請求項２乃至請求項５のいずれか一項に記載の発明において、前記指導者用制御手段は、前記指導者ＩＤが認証された状態であって、前記指導者用入力手段に前記個人データ表示画面または前記参加者データ表示画面を表示させる命令が入力されたことに応じて、前記指導者用表示手段に前記個人データ表示画面または前記参加者データ表示画面を表示させるものである。
【００１３】
請求項７の発明は、参加者に対して保健指導を行う指導者に使用される指導者用コンピュータと、参加者に使用される参加者用コンピュータとに電気通信回線を介して接続されるサーバを用いて保健指導を行う保健指導プログラムにおいて、前記サーバは、参加者の体重を体重数値として記憶する記憶部を備え、前記指導者用コンピュータは、データまたは命令が入力される指導者用入力手段と、データを表示する指導者用表示手段とを備え、前記参加者用コンピュータは、データまたは命令が入力される参加者用入力手段と、データを表示する参加者用表示手段とを備え、前記記憶部に、参加者に割り当てられた参加者ＩＤと、指導者に割り当てられた指導者ＩＤと、該参加者ＩＤ及び該指導者ＩＤをグループとして管理するグループナンバーとを関連付けて記憶するユーザＩＤテーブルと、参加者の参加者ＩＤと、該参加者ＩＤが割り当てられた参加者の体重数値と、該体重数値が測定された日付とを関連付けて記憶する体重データテーブルと、参加者によるコメントを参加者コメントとし、参加者に対する指導者によるコメントを指導者コメントとして、該参加者コメント及び該指導者コメントを該参加者ＩＤと関連付けて記憶するコメントデータテーブルとを記憶させるステップと、前記参加者用入力手段または前記指導者用入力手段に前記参加者ＩＤまたは前記指導者ＩＤが入力されたことに応じて、前記ユーザＩＤテーブルを参照することにより該参加者ＩＤまたは該指導者ＩＤの認証を行わせるステップと、該参加者ＩＤが認証された状態であって、該参加者用入力手段に前記体重数値が入力されたとき、該参加者ＩＤ、前記日付、及び該体重数値を関連付けて前記体重データテーブルに記憶させ、該参加者ＩＤが認証された状態であって、該参加者用入力手段に前記参加者コメントが入力されたとき、該参加者ＩＤ及び該参加者コメントを関連付けて前記コメントデータテーブルに記憶させるステップと、該指導者ＩＤが認証された状態であって、該指導者用入力手段に前記指導者コメントが入力されたことに応じて、該指導者ＩＤ及び該指導者コメントを関連付けて該コメントデータテーブルに記憶させるステップと、を前記サーバに実行させるものである。
【００１４】
請求項８の発明は、請求項７に記載の発明において、前記体重データテーブル及び前記コメントデータテーブルに記憶されている前記参加者ＩＤから、認証した該参加者ＩＤを特定させ、該体重データテーブルにおいて、特定された該参加者ＩＤに関連付けられた前記日付及び前記体重数値に基づいて、該体重数値の日々の変化を示す変移グラフを作成させ、最も古い該日付に関連付けられた該体重数値を基準値として、全ての該体重数値について該基準値との差分を増減値として算出させるステップと、該コメントデータテーブルから特定された該参加者ＩＤに関連付けられた前記参加者コメントまたは前記指導者コメントを抽出させるステップと、前記参加者用入力手段に所定の命令が入力されたことに応じて、前記変移グラフと前記増減値を表示するグラフ表示窓と、抽出された前記日付及び前記体重数値を表示する体重数値表示窓と、抽出された前記参加者コメントまたは前記指導者コメントを表示するコメント表示窓とを備える個人データ表示画面を前記参加者用表示手段に表示させるステップと、を前記サーバに実行させるものである。
【００１５】
請求項９の発明は、請求項８に記載の発明において、前記ユーザＩＤテーブルから、認証した前記参加者ＩＤに関連付けられた前記グループナンバーを特定させ、さらに、特定された該グループナンバーに関連付けられた全ての該参加者ＩＤを特定させるステップと、前記参加者用入力手段に所定の命令が入力されたことに応じて、特定された全ての前記参加者ＩＤについての前記グラフ表示窓及び前記コメント表示窓を備える参加者データ表示画面を前記参加者用表示手段に表示させるステップと、を前記サーバに実行させるものである。
【００１６】
請求項１０の発明は、請求項９に記載の発明において、前記参加者データ表示画面に前記体重数値を表示させないステップを前記サーバに実行させるものである。
【００１７】
請求項１１の発明は、請求項７乃至請求項１０のいずれか一項に記載の発明において、前記参加者用コンピュータは、食事写真を取込む写真取込手段をさらに備え、前記記憶部に、前記参加者ＩＤと、日付と、朝食、昼食、または夕食の種別を示す食事種別と、前記食事写真とを関連付けて記憶する食事データテーブルをさらに記憶させるステップと、前記指導者ＩＤが認証された状態であって、前記写真取込手段に前記食事写真が取込まれ、さらに前記参加者用入力手段に前記食事種別が入力されたことに応じて、前記食事テーブルに該参加者ＩＤと、該食事写真が取込まれた日付と、該食事種別と、該食事写真とを関連付けて記憶させるステップと、前記参加者用入力手段に所定の命令が入力されたことに応じて、前記個人データ表示画面または前記参加者データ表示画面に、前記食事テーブルにおいて前記参加者ＩＤに関連付けられた前記食事種別及び前記食事写真を表示する食事データ表示窓をさらに備えさせるステップと、を前記サーバに実行させるものである。
【００１８】
請求項１２の発明は、請求項７乃至請求項１１のいずれか一項に記載の発明において、前記指導者ＩＤが認証された状態であって、前記指導者用入力手段に前記個人データ表示画面または前記参加者データ表示画面を表示させる命令が入力されたことに応じて、前記指導者用表示手段に該個人データ表示画面または該参加者データ表示画面を表示させるステップを前記サーバに実行させるものである。
【発明の効果】
【００１９】
請求項１の発明によれば、保健指導システムは、参加者用コンピュータに入力された参加者の体重数値や参加者コメント等及び指導者用コンピュータに入力された指導者コメントを、参加者ＩＤと関連付けてサーバ上のデータベースに記憶させる。これにより、指導者及び参加者は、任意のタイミングでコメントを書込むことができる。指導者は、参加者の体重数値及び参加者コメントを時系列に参照することができるため、電子メールを用いて保健指導を行う場合に比べて、簡便かつ効率良く保健指導を行うことができる。
【００２０】
請求項２の発明によれば、参加者用コンピュータは、参加者ＩＤが認証された参加者の体重数値やその変移グラフ、増減値、参加者コメント及び指導者コメントを参加者用表示手段に表示させるので、参加者は、自己の体重数値の変移や指導者からの指導内容を知ることができる。
【００２１】
請求項３の発明によれば、参加者用コンピュータは、自己と同グループに属する他の参加者についての体重の変移、参加者コメント及び指導者コメントを参加者用表示手段に表示させるので、参加者は、他の参加者の状況や他の参加者に対する指導者コメントを参照することができる。これにより、参加者は、互いに刺激しあいながら健康管理に取り組むことができる。
【００２２】
請求項４の発明によれば、参加者データ表示画面は、参加者の体重数値を表示しない。これにより、参加者は、他の参加者に自己の体重数値を知られることなく、他の参加者のデータや他の参加者に対する指導者コメントを参照することができる。
【００２３】
請求項５の発明によれば、保健指導システムは、参加者用コンピュータに入力された参加者の食事写真や食事種別等を、参加者ＩＤと関連付けてサーバ上のデータベースに記憶させる。参加者用コンピュータは、食事写真や食事種別等を参加者用表示手段に表示させるので、参加者は、食事についての具体的なデータに基づいた保健指導を受けることができる。
【００２４】
請求項６の発明によれば、指導者用コンピュータは、参加者の体重数値やその変移グラフ、増減値、参加者コメント及び指導者コメントを指導者用表示手段に表示させるので、指導者は、参加者に対して具体的なデータに基づいた保健指導を効率良く行うことができる。
【００２５】
請求項７の発明によれば、サーバは、参加者用コンピュータに入力された参加者の体重数値や参加者コメント等及び指導者用コンピュータに入力された指導者コメントを、参加者ＩＤと関連付けてサーバ上のデータベースに記憶させることができる。
【００２６】
請求項８の発明によれば、サーバは、参加者ＩＤが認証された参加者の体重数値やその変移グラフ、増減値、参加者コメント及び指導者コメントを参加者用表示手段に表示させることができる。
【００２７】
請求項９の発明によれば、サーバは、参加者と同グループに属する他の参加者についての体重の変移、参加者コメント及び指導者コメントを参加者用表示手段に表示させることができる。
【００２８】
請求項１０の発明によれば、サーバは、参加者の体重数値を表示することなく、他の参加者についての体重の変移、参加者コメント及び指導者コメントを参加者用表示手段に表示させることができる。
【００２９】
請求項１１の発明によれば、サーバは、参加者用コンピュータに入力された参加者の食事写真や食事種別等を、参加者ＩＤと関連付けてサーバ上のデータベースに記憶させ、食事写真や食事種別等を参加者用表示手段に表示させることができる。
【００３０】
請求項１２の発明によれば、サーバは、参加者の体重数値やその変移グラフ、増減値、参加者コメント及び指導者コメントを指導者用表示手段に表示させることができる。
【図面の簡単な説明】
【００３１】
【図１】本発明の実施形態に係る保健指導システムの構成図。
【図２】上記保健指導システムのサーバに保持されるユーザＩＤテーブルの構成図。
【図３】上記サーバに保持される体重テーブルの構成図。
【図４】上記サーバに保持されるコメントデータテーブルの構成図。
【図５】上記サーバに保持される食事データテーブルの構成図。
【図６】上記保健指導システムの参加者用コンピュータに表示されるスタート画面の一例を示す図。
【図７】上記参加者用コンピュータに表示される参加者データ表示画面の一例を示す図。
【図８】上記参加者用コンピュータに表示される個人データ表示画面の一例を示す図。
【図９】上記保健指導システムの指導者用コンピュータに表示されるスタート画面の一例を示す図。
【図１０】上記指導者用コンピュータに表示される参加者データ表示画面の一例を示す図。
【図１１】上記保健指導システムにおける参加者用コンピュータによる各種動作処理のフローチャート。
【図１２】上記保健指導システムにおける指導者用コンピュータによる各種動作処理のフローチャート。
【発明を実施するための形態】
【００３２】
本発明の実施形態に係る保健指導システムについて図面を参照して説明する。図１は本実施形態に係る保健指導システム１の構成を示す。保健指導システム１は、サーバ２と、参加者に対して保健指導を行う指導者に使用される指導者用コンピュータ３及び４と、参加者に使用される参加者用コンピュータ５乃至８とを備え、それぞれケーブルＬを介してインターネットＮに接続されている。
【００３３】
サーバ２は、データまたは命令が入力されるキーボード２ａと、データを表示するモニタ２ｂと、データを送受信するためにインターネットＮに接続する接続装置２ｃと、サーバ２全体を制御するＣＰＵ２ｄ（サーバ用制御手段）と、データベース９を記憶する記憶部２ｅとを備える。データベース９は、参加者及び指導者を識別するためのデータを保持するユーザＩＤテーブル９１と、参加者の体重についてのデータを保持する体重データテーブル９２と、参加者及び指導者によるコメントについてのデータを保持するコメントデータテーブル９３と、参加者の食事についてのデータを保持する食事データテーブル９４とで構成される。
【００３４】
指導者用コンピュータ３は、データまたは命令が入力されるキーボード３ａ（指導者用入力手段）と、データを表示するモニタ３ｂ（指導者用表示手段）と、データを送受信するためにインターネットＮに接続する接続装置３ｃと、指導者用コンピュータ３全体を制御するＣＰＵ３ｄ（指導者用制御手段）とを備える。指導者用コンピュータ４は、指導者用コンピュータ３と同じ構成である。ここに、指導者用コンピュータ３は、指導者ＩＤとして「Ｉ０１」が割り当てられた指導者Ａに使用され、指導者用コンピュータ４は、指導者ＩＤとして「Ｉ０２」が割り当てられた指導者Ｂに使用されるものとする。
【００３５】
参加者用コンピュータ５は、データまたは命令が入力されるキーボード５ａ（参加者用入力手段）と、データを表示するモニタ５ｂ（参加者用表示手段）と、データを送受信するためにインターネットＮに接続する接続装置５ｃと、参加者用コンピュータ５全体を制御するＣＰＵ５ｄ（参加者用制御手段）とを備える。また、参加者用コンピュータ５は、参加者が摂取した食事の写真を食事写真として記憶するＳＤカードやメモリスティック等から、食事写真を取込むためのメモリカードスロット５ｅ（写真取込手段）を備える。参加者用コンピュータ６乃至８は、参加者用コンピュータ５と同じ構成である。ここに、参加者用コンピュータ５は、参加者ＩＤとして「Ｃ０１」が割り当てられた参加者Ａに使用され、参加者用コンピュータ６は、参加者ＩＤとして「Ｃ０２」が割り当てられた参加者Ｂに使用され、参加者用コンピュータ７は、参加者ＩＤとして「Ｃ０３」が割り当てられた参加者Ｃに使用され、参加者用コンピュータ８は、参加者ＩＤとして「Ｃ０４」が割り当てられた参加者Ｄに使用されるものとする。本システム１は、例えば、参加者ＩＤとして「Ｃ０５」が割り当てられた参加者Ｅや、「Ｃ０６」が割り当てられた参加者Ｆ等に使用される参加者用コンピュータをさらに備えていてもよい。
【００３６】
また、各参加者ＩＤは、所定のグループナンバーと関連付けられており、このグループナンバーによりグループ単位で管理される。ここに、参加者Ａの参加者ＩＤ「Ｃ０１」、参加者Ｂの参加者ＩＤ「Ｃ０２」、及び参加者Ｃの参加者ＩＤ「Ｃ０３」は、グループナンバーとして「Ｇ０１」と関連付けられており、参加者Ｄの参加者ＩＤ「Ｃ０４」は、グループナンバーとして「Ｇ０２」と関連付けられている。また、各指導者ＩＤについても、参加者ＩＤと同様に、所定のグループナンバーと関連付けられており、このグループナンバーによりグループ単位で管理される。ここに、指導者Ａの指導者ＩＤ「Ｉ０１」は、グループナンバーとして「Ｇ０１」と関連付けられており、指導者Ｂの指導者ＩＤ「Ｉ０２」は、グループナンバーとして「Ｇ０２」と関連付けられている。これより、グループナンバー「Ｇ０１」には、指導者ＩＤ「Ｉ０１」、参加者ＩＤ「Ｃ０１」、参加者ＩＤ「Ｃ０２」、及び参加者ＩＤ「Ｃ０３」が属する。これは、参加者ＩＤ「Ｃ０１」乃至「Ｃ０３」が割り当てられた参加者Ａ乃至Ｃは、指導者ＩＤ「Ｉ０１」が割り当てられた指導者Ａによって保健指導がなされることを示す。
【００３７】
次に、サーバ２、指導者用コンピュータ３及び４、参加者用コンピュータ５乃至８の各制御構成について説明する。本実施形態において、指導者用コンピュータ３及び４についてはそれぞれ同構成であり、同様に、参加者用コンピュータ５乃至８ついてはそれぞれ同構成であるため、以後、指導者用コンピュータ３と参加者用コンピュータ５を例に説明する。サーバ２のＣＰＵ２ｄは、指導者用コンピュータ３のキーボード３ａに指導者ＩＤ及びパスワードが入力されたことに応じて、ユーザＩＤテーブル９１を参照することにより該指導者ＩＤの認証を行う。同様に、ＣＰＵ２ｄは、参加者用コンピュータ５のキーボード５ａに参加者ＩＤ及びパスワードが入力されたことに応じて、ユーザＩＤテーブル９１を参照することにより該参加者ＩＤの認証を行う。
【００３８】
ＣＰＵ２ｄは、例えば、指導者Ａの指導者ＩＤが認証されているときに、指導者用コンピュータ３のキーボード３ａに参加者Ａに対して指導者コメントが入力されると、参加者Ａの参加者ＩＤと該指導者コメントを関連付けてコメントデータテーブル９３に記憶させる。このとき、指導者用コンピュータ３を使用する指導者Ａは、モニタ３ｂに表示された参加者Ａの体重数値及び参加者Ａの参加者コメントを参照することにより、参加者Ａに対して指導者コメントを入力する。これにより、指導者Ａは、時系列に表示された参加者Ａについての具体的なデータに基づいて、簡便かつ適切に保健指導を行うことができる。
【００３９】
ＣＰＵ２ｄは、例えば、参加者Ａの参加者ＩＤが認証されているときに、参加者用コンピュータ５のキーボード５ａに参加者Ａの体重数値が入力されると、参加者Ａの参加者ＩＤ、体重数値が入力された日付、及び該体重数値を関連付けて、体重データテーブル９２に記憶させる。また、ＣＰＵ２ｄは、例えば、参加者Ａの参加者ＩＤが認証されているときに、キーボード５ａに参加者Ａによる参加者コメントが入力されると、参加者Ａの参加者ＩＤ及び該参加者コメントを関連付けて、コメントデータテーブル９３に記憶させる。これにより、参加者Ａは、指導者Ａによって参照される体重数値及び参加者コメントを体重データテーブル９２及びコメントデータテーブル９３に記憶させることができる。
【００４０】
図２はユーザＩＤテーブル９１の構成を示す。ユーザＩＤテーブル９１は、各参加者に割り当てられた参加者ＩＤと、各指導者に割り当てられた指導者ＩＤと、参加者ＩＤ及び指導者ＩＤが属するグループナンバーとを関連付けて記憶するテーブルである。ユーザＩＤテーブル９１は、グループナンバーを保持するグループナンバー項目９１ａと、指導者ＩＤを保持する指導者ＩＤ項目９２ｂと、指導者により設定される指導者パスワードを保持する指導者パスワード項目９１ｃと、参加者ＩＤを保持する参加者ＩＤ項目９１ｄと、参加者により設定される参加者パスワードを保持する参加者パスワード項目９１ｅとを有する。例えば、グループナンバー項目９１ａに保持されるグループナンバー「Ｇ０１」は、指導者ＩＤ「Ｉ０１」と、参加者ＩＤ「Ｃ０１」、「Ｃ０２」、及び「Ｃ０３」と関連付けられている。また、指導者ＩＤ「Ｉ０１」は、指導者パスワード「ＡＢＣ０７２３」と関連付けられ、参加者ＩＤ「Ｃ０１」、「Ｃ０２」、及び「Ｃ０３」は、それぞれ参加者パスワード「ＸＹＺ」、「１０２０３０」、及び「ａｂａｂ」と関連付けられている。これにより、グループナンバー「Ｇ０１」には、指導者ＩＤ「Ｉ０１」が割り当てられた指導者Ａと、参加者ＩＤ「Ｃ０１」、「Ｃ０２」、及び「Ｃ０３」が割り当てられた参加者Ａ、参加者Ｂ、及び参加者Ｃが属することがわかる。これは、参加者Ａ、参加者Ｂ、及び参加者Ｃは、本システム１を利用することにより指導者Ａによって保健指導されることを示す。
【００４１】
図３は体重データテーブル９２の構成を示す。体重データテーブル９２は、参加者ＩＤと、参加者ＩＤが割り当てられた参加者の体重数値と、参加者が体重数値を測定した日付とを関連付けて記憶するテーブルである。体重データテーブル９２は、参加者ＩＤを保持する参加者ＩＤ項目９２ａと、上記の日付を保持する日付項目９２ｂと、体重数値を保持する体重数値項目９２ｃとを有している。例えば、参加者ＩＤ項目９２ａに保持される参加者ＩＤ「Ｃ０１」は、日付「２００９／１／１４」及び体重数値「６４．５」と関連付けられている。ここで、日付「２００９／１／１４」は、２００９年１月１４日であることを示し、体重数値「６４．５」は、６４．５ｋｇであることを示す。これにより、参加者ＩＤ「Ｃ０１」が割り当てられた参加者Ａは、２００９年１月１４日における体重が６４．５ｋｇであったことがわかる。
【００４２】
図４はコメントデータテーブル９３の構成を示す。コメントデータテーブル９３は、参加者によるコメントを参加者コメントとし、指導者による参加者に対するコメントを指導者コメントとして、参加者ＩＤと関連付けて記憶するテーブルである。コメントデータテーブル９３は、参加者ＩＤを保持する参加者ＩＤ項目９３ａと、参加者コメント及び指導者コメントを保持するコメント項目９３ｂとを有している。例えば、参加者ＩＤ項目９３ａに保持される参加者ＩＤ「Ｃ０１」は、参加者コメントとして「＜ストック  ２００９／０１／１９  ９：４３：１７＞  最近、夕食に揚げ物や肉類が増えた（子供の強い要望で）せいか体重の・・・」、指導者コメントとして「＜今中  ２００９／０１／０５  ９：２８：５５＞あけましておめでとうございます。・・・」と関連付けられている。ここで、参加者コメントの「ストック」とは、参加者ＩＤ「Ｃ０１」が割り当てられた参加者Ａのハンドルネームであり、「２００９／０１／１９  ９：４３：１７」は、参加者コメントが２００９年１月１９日の午前９時４３分１７秒に書き込まれたことを示す。また、指導者コメントの「今中」とは、参加者Ａと同じグループに属する指導者Ａの苗字であり、「２００９／０１／０５  ９：２８：５５」は、指導者コメントが２００９年１月５日の午前９時２８分５５秒に書き込まれたことを示す。このように、コメントデータテーブル９３は、参加者ＩＤ毎に、参加者コメントと指導者コメントを時系列に記憶するため、例えば、参加者Ａ及び指導者Ａは、簡便に過去の参加者コメントと指導者コメントを時系列に参照することができる。
【００４３】
図５は食事データテーブル９４の構成を示す。食事データテーブル９４は、参加者ＩＤと、日付と、朝食、昼食、または夕食の種別を示す食事種別と、食事写真とを関連付けて記憶するテーブルである。食事データテーブル９４は、参加者が食事を摂った日付を保持する日付項目９４ａと、参加者ＩＤを保持する参加者ＩＤ項目９４ｂと、食事種別を保持する食事種目項目９４ｃと、食事写真を保持する食事写真項目９４ｄとを記憶する。食事写真項目９４ｄに保持される食事写真は、例えば、ＪＰＥＧ形式、ＧＩＦ形式、ＰＮＧ形式等の画像データである。例えば、日付項目９４ａに保持される日付「２００９／１／１９」は、２００９年１月１９日であることを示し、参加者ＩＤ「Ｃ０１」、「Ｃ０２」、及び「Ｃ０３」が「朝食」、「昼食」、及び「夕食」として摂取した食事写真が、日付、参加者ＩＤ、及び食事種別と関連付けられている。ここで、ＣＰＵ５ｄは、メモリカードスロット５ｅを介して取り込んだ食事写真を、例えば、画像データのサイズに関わらず縦４５０×横６００ピクセルの画像サイズに加工して食事データテーブル９４に記憶させる。これにより、指導者用コンピュータ３のモニタ３ｂまたは参加者用コンピュータ５のモニタ５ｂは、均一サイズで食事写真を表示することができる。
【００４４】
参加者用コンピュータ５のモニタ５ｂに表示される各種画面について説明する。図６はモニタ５ｂに表示されるスタート画面１０を示す。スタート画面１０は、サーバ２によって参加者ＩＤが認証された後に表示される参加者用の初期画面である。スタート画面１０は、指導者コメントを表示するコメント表示窓１０ａと、認証された参加者ＩＤに関連付けられたグループに属する全ての参加者ＩＤのデータを一覧表示させるための一覧表ボタン１０ｂと、本画面１０を終了させるための終了ボタン１０ｃと、同じグループに属するいずれかの参加者によって新たに書き込まれた参加者コメントの件数を表示する窓１０ｄと、同じグループに属する指導者によって新たに書き込まれた指導者コメントの件数を表示する窓１０ｅと、本画面１０を上下にスクロールさせるためのスクロールバー１０ｆとを備える。コメント表示窓１０ａに表示されるコメントは、指導者による参加者全員に向けてのコメントであって、本コメントは、指導者用コンピュータ３のキーボード３ａより入力された後に、サーバ２のコメントデータテーブル９３に記憶される。
【００４５】
図７は参加者用コンピュータ５のモニタ５ｂに表示される参加者データ表示画面１１を示す。参加者データ表示画面１１は、図６におけるスタート画面１０の一覧表ボタン１０ｂが押下されることにより、モニタ５ｂに表示される。参加者データ表示画面１１は、サーバ２のＣＰＵ２ｄにより特定されたグループに属する参加者ＩＤを、予め設定されたハンドルネームで表示するネーム欄１１ａと、参加者コメント及び指導者コメントを表示するコメント表示窓１１ｂと、参加者の体重数値の変移をグラフにより表示するグラフ表示窓１１ｃと、参加者の体重数値の変移を数値で表示する変移数値表示窓１１ｄと、直近２日分の食事写真を表示する食事データ表示窓１１ｅとを備える。参加者データ表示画面１１においては、所定のグループの属する参加者ＩＤ毎に、ネーム欄１１ａ、コメント表示窓１１ｂ、グラフ表示窓１１ｃ、変移数値表示窓１１ｄ、及び食事データ表示窓１１ｅがそれぞれ区分けされて表示される。また、参加者データ表示画面１１は、サーバ２に認証された自己のデータのみを表示させるための個人画面ボタン１１ｆと、本画面１１を終了するための終了ボタン１１ｇと、本画面１１を上下にスクロールさせるためのスクロールバー１１ｈとを備える。ここで、ネーム欄１１ａに表示されるハンドルネーム（例えば、「ストック」）は、本システム１の使用開始時に参加者より設定される。また、グラフ表示窓１１ｃ及び変移数値表示窓１１ｄは、例えば、体重数値の基準値に対する増減が２週間間隔で表示される。
【００４６】
グラフ表示窓１１ｃは、それぞれの参加者ＩＤに関連付けられた日付及び体重数値に基づいて作成された日々の体重数値の変化を示すグラフを変移グラフ１１ｉとして表示する。変移グラフ１１ｉは、サーバ２のＣＰＵ２ｄによって、体重データテーブル９２に記憶される体重数値に基づいて作成される。また、グラフ表示窓１１ｃは、体重データテーブル９２において、最も古い日付に関連付けられた体重数値を基準値として基準線１１ｊを表示し、参加者によって目標値として予め設定された値を目標線１１ｋとして表示する。さらに、グラフ表示窓１１ｃは、ＣＰＵ２ｄによって算出された日々の体重数値と基準線１１ｊとの差分を増減値として表示する。変移数値表示窓１１ｄは、ＣＰＵ２ｄによって算出された増減値を表示する。グラフ表示窓１１ｃは、変移グラフ１１ｉ、基準線１１ｊ、目標線１１ｋ、及び増減値を表示するが、参加者についての具体的な体重を示す体重数値は表示しない。同様に、変移数値表示窓１１ｄは、増減値を表示するが、参加者についての具体的な体重を示す体重数値は表示しない。これにより、参加者データ表示画面１１は、他の参加者に対して、具体的な体重を示す体重数値を示すことなく体重の変移を表示することができる。
【００４７】
図８は参加者用コンピュータ５のモニタ５ｂに表示される個人データ表示画面１２を示す。ここでは、サーバ２により参加者ＩＤが認証された参加者（ハンドルネーム「ストック」）が、上記の参加者データ表示画面１１の個人画面ボタン１１ｆを押下したときに表示される画面を示している。個人データ表示画面１２は、認証された参加者ＩＤをハンドルネームで表示するネーム欄１２ａと、該参加者ＩＤに関連付けられた参加者コメント及び指導者コメントを表示するコメント表示窓１２ｂと、該参加者ＩＤについてのグラフ表示窓１２ｃと、体重データテーブル９２において参加者ＩＤに関連付けられた体重数値を表示する体重数値表示窓１２ｄとを備える。また、個人データ表示画面１２は、参加者の身長を表示する身長表示欄１２ｅと、参加者がコメントを入力するためのコメント欄１２ｆと、コメント欄１２ｆへのデータ入力を確定するためのデータ固定ボタン１２ｇと、上述した参加者データ表示画面１１を表示させるための一覧表ボタン１２ｈと、本画面１２を終了するための終了ボタン１２ｉと、本画面１２を上下にスクロールさせるためのスクロールバー１２ｊとを備える。ここで、身長表示欄１２ｅに表示される身長（図における「１６０．１」）は、本システム１の使用開始時に参加者より設定される。また、グラフ表示窓１２ｃは、体重数値の基準値に対する増減が２週間間隔で表示されている。
【００４８】
体重数値表示窓１２ｄの左側には、体重数値表示窓１２ｄに表示されている体重数値に対応する日付を示す日付欄１２ｋが表示される。日付欄１２ｋは、体重データテーブル９２において該体重数値と関連付けられている日付を表示する。また、体重数値表示窓１２ｄは、参加者によって現時点における体重数値が入力される構成となっている。参加者は、体重数値表示窓１２ｄに体重数値を入力後、データ固定ボタン１２ｇを押下することにより、日付及び体重数量を体重データテーブル９２に記録させることができる。グラフ表示窓１２ｃは、ＣＰＵ２ｄによって、体重データテーブル９２において認証された参加者ＩＤに関連付けられた日付及び体重数値に基づいて作成された体重数値の変化を示すグラフを変移グラフ１２ｌとして表示する。また、グラフ表示窓１２ｃは、上記同様に、体重数値を基準値として基準線１２ｍを表示し、目標値として予め設定された値を目標線１２ｎとして表示し、日々の体重数値と基準線１２ｍとの差分を増減値として表示する。これにより、個人データ表示画面１２は、サーバ２によって認証された参加者ＩＤが割り当てられた参加者に対し、参加者コメント、指導者コメント、変移グラフ１２ｌ、及び具体的な体重を示す体重数値を表示することができる。
【００４９】
図９は指導者用コンピュータ３のモニタ３ｂに表示されるスタート画面１３を示す。このスタート画面１３は、サーバ２によって指導者ＩＤが認証された後に表示される指導者用の初期画面である。スタート画面１３は、指導者コメントを表示するコメント表示窓１３ａと、認証された指導者ＩＤに関連付けられたグループに属する全ての参加者ＩＤのデータを一覧表示させるための一覧表ボタン１３ｂと、本画面１３を終了させるための終了ボタン１３ｃと、同じグループに属するいずれかの参加者によって新たに書き込まれた参加者コメントの件数を表示する窓１３ｄと、指導者自身によって新たに書き込まれた指導者コメントの件数を表示する窓１３ｅと、本画面１３を上下にスクロールさせるためのスクロールバー１３ｆとを備える。また、スタート画面１３は、指導者がコメントを入力するためのコメント欄１３ｇを備える。コメント欄１３ｇに入力されたコメントは、参加者用のスタート画面１０のコメント表示窓１０ａ及び本画面１３のコメント表示窓１３ａに表示される。
【００５０】
図１０は指導者用コンピュータ３のモニタ３ｂに表示される参加者データ表示画面１４を示す。参加者データ表示画面１４は、サーバ２のＣＰＵ２ｄにより特定されたグループに属する参加者ＩＤを、予め設定されたハンドルネームで表示するネーム欄１４ａと、参加者コメント及び指導者コメントを表示するコメント表示窓１４ｂと、参加者の体重数値の変移をグラフにより表示するグラフ表示窓１４ｃと、参加者の体重数値の変移を数値で表示する変移数値表示窓１４ｄと、直近２日分の食事写真を表示する食事データ表示窓１４ｅと、所望する参加者についてのデータを表示させるための個人画面ボタン１４ｆとを備える。参加者データ表示画面１４においては、所定のグループの属する参加者毎に、ネーム欄１４ａ、コメント表示窓１４ｂ、グラフ表示窓１４ｃ、変移数値表示窓１４ｄ、及び食事データ表示窓１４ｅ、個人画面ボタン１４ｆがそれぞれ区分けされて表示される。ここで、個人画面ボタン１４ｆが押下されると、該ボタン１４ｆに対応する参加者ＩＤが割り当てられた参加者のデータを表示する個人データ表示画面１２がモニタ３ｂに表示される。モニタ３ｂに表示される個人データ表示画面１２は、参加者用コンピュータ５のモニタ５ｂに表示される個人データ表示画面１２と同等の画面構成である。このように、指導者は、モニタ３ｂに参加者データ表示画面１４を表示させることにより、グループに属する全ての参加者の状況を一度に把握することができる。また、指導者は、モニタ３ｂに所望する参加者についての個人データ表示画面１２を表示させることにより、具体的な体重数値や身長に基づいて適切に保健指導を行うことができる。
【００５１】
次に、保健指導システム１の動作フローについて説明する。図１１は参加者用コンピュータにより実行される各種動作処理のフローチャートを示す。参加者用コンピュータ５のＣＰＵ５ｄは、キーボード５ａに参加者ＩＤ及びパスワードが入力されると、接続装置５ｃに参加者ＩＤ及びパスワードをサーバ２に送信させる（Ｓ１０１）。サーバ２のＣＰＵ２ｄは、接続装置２ｃが参加者用コンピュータ５からの参加者ＩＤ及びパスワードを受信したことに応じて、ユーザＩＤテーブル９１を参照することにより認証処理を行う（Ｓ１０２）。ＣＰＵ２ｄは、受信した参加者ＩＤ及びパスワードがユーザＩＤテーブル９１に記憶されていることに応じて、参加者用コンピュータ５を認証する（Ｓ１０３）。これにより、参加者用コンピュータ５は、本システム１を利用することが可能となる。次に、ＣＰＵ２ｄは、コメントデータテーブル９３を参照し、認証した参加者ＩＤに関連付けられた参加者コメント及び指導者コメントを確認する（Ｓ１０４）。ＣＰＵ２ｄは、コメントデータテーブル９３において認証した参加者ＩＤに関連付けられたコメントから、新たに書き込まれた参加者コメントと指導者コメントの件数をそれぞれ取得し（Ｓ１０５）、参加者用コンピュータ５に取得した件数を送信する。
【００５２】
ＣＰＵ５ｄは、サーバ２から参加者コメントと指導者コメントの件数を受信すると、モニタ５ｂにスタート画面１０を表示させる（Ｓ１０６）。このとき、スタート画面１０は、新たに書き込まれた参加者コメントの件数を窓１０ｄに表示し、指導者コメントの件数を窓１０ｅに表示する。参加者Ａによって一覧表ボタン１０ｂが押下されると（Ｓ１０７）、ＣＰＵ５ｄは、一覧表ボタン１０ｂが押下されたことをサーバ２に通知する。ＣＰＵ２ｄは、参加者用コンピュータ５からの通知を受けると、ユーザＩＤテーブル９１、コメントデータテーブル９３、体重データテーブル９２、及び食事データテーブル９４を参照する（Ｓ１０８）。ここで、ＣＰＵ２ｄは、ユーザＩＤテーブル９１を参照することにより、ステップＳ１０３において認証した参加者ＩＤが属するグループを特定する。ＣＰＵ２ｄは、特定したグループに属する全ての参加者ＩＤについて、変移グラフ１１ｉ、基準線１１ｊ、目標線１１ｋ、及び増減値を算出し、参加者用コンピュータ５に送信する。また、ＣＰＵ２は、全ての参加者ＩＤについての参加者コメント、指導者コメント、食事写真、及び食事種別を参加者用コンピュータ５に送信する。
【００５３】
ＣＰＵ５ｄは、サーバ２からデータを受信すると、モニタ５ｂに参加者データ表示画面１１を表示させる（Ｓ１０９）。参加者データ表示画面１１は、具体的な体重数値を表示することなく、特定されたグループに属する全ての参加者ＩＤについてのデータを表示する。参加者Ａは、参加者データ表示画面１１を参照することにより、参加者Ｂ及び参加者Ｃが摂った食事や体重の変移、さらには参加者Ｂ及び参加者Ｃに対する指導者コメントを知ることができる。これにより、他の参加者の事例を参考にすることができるとともに、食事制限などの生活改善に取り組む意欲が刺激される。
【００５４】
参加者Ａによって個人画面ボタン１１ｆが押下されると（Ｓ１１０）、ＣＰＵ５ｄは個人画面ボタン１１ｆが押下されたことをサーバ２に通知する。ＣＰＵ２ｄは、参加者用コンピュータ５からの通知を受けると、ユーザＩＤテーブル９１、コメントデータテーブル９３、体重データテーブル９２、及び食事データテーブル９４を参照する（Ｓ１１１）。ＣＰＵ２ｄは、認証した参加者ＩＤについて、変移グラフ１１ｉ、基準線１１ｊ、目標線１１ｋ、及び増減値を算出し、体重数値とともに参加者用コンピュータ５に送信する。また、ＣＰＵ２ｄは、認証した参加者ＩＤについての参加者コメント、指導者コメント、食事写真、及び食事種別を参加者用コンピュータ５に送信する。ＣＰＵ５ｄは、サーバ２からデータを受信すると、モニタ５ｂに個人データ表示画面１２を表示させる（Ｓ１１２）。参加者Ａは、個人データ表示画面１２を参照することにより、自己が摂った食事や体重の変移、及び自己の参加者コメントに対する指導者コメントを知ることができる。
【００５５】
ＣＰＵ５ｄは、参加者Ａによって個人データ表示画面１２に体重数値、参加者コメント、または食事写真が入力されたことに応じて（Ｓ１１３）、入力されたデータをサーバ２に送信する。ＣＰＵ２は、参加者用コンピュータ５からデータを受信したこと応じて、コメントデータテーブル９３、体重データテーブル９２、または食事データテーブル９４にデータを記憶させる（Ｓ１１４）。これにより、サーバ２は、参加者Ａの日々のデータを蓄積することができる。参加者Ａによって終了ボタン１２ｉが押下されると（Ｓ１１５）、ＣＰＵ５ｄは終了ボタン１２ｉが押下されたことをサーバ２に通知する。ＣＰＵ２ｄは、参加者用コンピュータ５からの通知を受けると、認証した参加者ＩＤを解除し、参加者用コンピュータ５による本システム１の利用を終了する（Ｓ１１６）。
【００５６】
図１２は指導者用コンピュータにより実行される各種動作処理のフローチャートを示す。指導者用コンピュータ３のＣＰＵ３ｄは、キーボード３ａに指導者ＩＤ及びパスワードが入力されると、接続装置３ｃに指導者ＩＤ及びパスワードをサーバ２に送信させる（Ｓ２０１）。サーバ２のＣＰＵ２ｄは、接続装置２ｃが指導者用コンピュータ３からの指導者ＩＤ及びパスワードを受信したことに応じて、ユーザＩＤテーブル９１を参照することにより認証処理を行う（Ｓ２０２）。ＣＰＵ２ｄは、受信した指導者ＩＤ及びパスワードがユーザＩＤテーブル９１に記憶されていることに応じて、指導者用コンピュータ３を認証する（Ｓ２０３）。これにより、指導者用コンピュータ３は、本システム１を利用することが可能となる。次に、ＣＰＵ２ｄは、コメントデータテーブル９３を参照し、認証した指導者ＩＤに関連付けられた参加者コメント及び指導者コメントを確認する（Ｓ２０４）。ＣＰＵ２ｄは、コメントデータテーブル９３において認証した指導者ＩＤに関連付けられたコメントから、新たに書き込まれた参加者コメントと指導者コメントの件数をそれぞれ取得し（Ｓ２０５）、指導者用コンピュータ３に取得した件数を送信する。
【００５７】
ＣＰＵ３ｄは、サーバ２から参加者コメントと指導者コメントの件数を受信すると、モニタ３ｂにスタート画面１３を表示させる（Ｓ２０６）。このとき、スタート画面１３は、新たに書き込まれた参加者コメントの件数を窓１３ｄに表示し、指導者コメントの件数を窓１３ｅに表示する。指導者Ａによって一覧表ボタン１３ｂが押下されると（Ｓ２０７）、ＣＰＵ３ｄは、一覧表ボタン１３ｂが押下されたことをサーバ２に通知する。ＣＰＵ２ｄは、指導者用コンピュータ３からの通知を受けると、ユーザＩＤテーブル９１、コメントデータテーブル９３、体重データテーブル９２、及び食事データテーブル９４を参照する（Ｓ２０８）。ここで、ＣＰＵ２ｄは、ユーザＩＤテーブル９１を参照することにより、ステップＳ２０３において認証した指導者ＩＤが属するグループを特定する。ＣＰＵ２ｄは、特定したグループに属する全ての参加者ＩＤについて、変移グラフ１４ｉ、基準線１４ｊ、目標線１４ｋ、及び増減値を算出し、指導者用コンピュータ３に送信する。また、ＣＰＵ２は、全ての参加者ＩＤについての参加者コメント、指導者コメント、食事写真、及び食事種別を指導者用コンピュータ３に送信する。
【００５８】
ＣＰＵ３ｄは、サーバ２からデータを受信すると、モニタ３ｂに参加者データ表示画面１４を表示させる（Ｓ２０９）。参加者データ表示画面１４は、具体的な体重数値を表示することなく、特定されたグループに属する全ての参加者ＩＤについてのデータを表示する。指導者Ａは、参加者データ表示画面１４を参照することにより、参加者Ａ乃至参加者Ｃが摂った食事や体重の変移、さらには参加者Ａ乃至参加者Ｃからの参加者コメントを知ることができる。
【００５９】
指導者Ａによって個人画面ボタン１４ｆが押下されると（Ｓ２１０）、ＣＰＵ３ｄは個人画面ボタン１４ｆが押下されたことをサーバ２に通知する。ＣＰＵ２ｄは、指導者用コンピュータ３からの通知を受けると、ユーザＩＤテーブル９１、コメントデータテーブル９３、体重データテーブル９２、及び食事データテーブル９４を参照する（Ｓ２１１）。ＣＰＵ２ｄは、押下された個人画面ボタン１４ｆに対応付けられた参加者ＩＤについて、変移グラフ１４ｉ、基準線１４ｊ、目標線１４ｋ、及び増減値を算出し、体重数値とともに指導者用コンピュータ３に送信する。また、ＣＰＵ２ｄは、対応付けられた参加者ＩＤについての参加者コメント、指導者コメント、食事写真、及び食事種別を指導者用コンピュータ３に送信する。ＣＰＵ３ｄは、サーバ２からデータを受信すると、モニタ３ｂに個人データ表示画面１２を表示させる（Ｓ２１２）。指導者Ａは、この個人データ表示画面を参照することにより、参加者が摂った食事や体重の変移、及び参加者コメントを知ることができる。
【００６０】
ＣＰＵ３ｄは、指導者Ａによって個人データ表示画面１２に指導者コメントが入力されたことに応じて（Ｓ２１３）、入力されたデータをサーバ２に送信する。ＣＰＵ２は、指導者用コンピュータ３からデータを受信したことに応じて、コメントデータテーブル９３にデータを記憶させる（Ｓ２１４）。これにより、サーバ２は、指導者Ａによる保健指導の内容を指導者コメントとして蓄積することができる。指導者Ａによって終了ボタン１２ｉが押下されると（Ｓ２１５）、ＣＰＵ３ｄは終了ボタン１２ｉが押下されたことをサーバ２に通知する。ＣＰＵ２ｄは、指導者用コンピュータ３からの通知を受けると、認証した指導者ＩＤを解除し、指導者用コンピュータ３による本システム１の利用を終了する（Ｓ２１６）。
【００６１】
このように本実施形態に係る保健指導システム１によれば、参加者用コンピュータ５乃至８から入力された参加者の体重数値や参加者コメント等及び指導者用コンピュータ３及び４に入力された指導者コメントを、参加者ＩＤと関連付けてサーバ２上のデータベース９に記憶させるので、指導者及び参加者は任意のタイミングで本システム１を利用することができる。また、指導者及び参加者は、過去のメールの管理が煩雑となる電子メールを用いることなく、互いにコメントの書込み及び閲覧を行うことができる。これにより、指導者は、複数の参加者に対して効率良く保健指導を行うことができる。
【００６２】
また、参加者用コンピュータ５乃至８は、参加者ＩＤが認証された参加者の体重数値やその変移グラフ、増減値、参加者コメント及び指導者コメントを表示するので、参加者に対して該参加者本人の体重の変移や、具体的な体重を示す体重数値、これら情報に基づき指導者により作成される保健指導の内容等を示すことができる。また、参加者用コンピュータ５乃至８は、体重数値を示すことなく、認証された参加者と同グループに属する他の参加者についての体重の変移、参加者コメント及び指導者コメントを表示する。これにより、参加者は、自己だけでなく他の参加者の保健指導の内容を参考にすることができる。また、参加者は、他の参加者の体重の変移を参照することにより、食事制限などの生活改善に取り組む意欲が刺激される。さらに、参加者は、他の参加者に体重数値を知られることを心配することなく本システム１を利用することができる。
【００６３】
また、本システム１は、参加者用コンピュータ５乃至８から入力された参加者の食事写真や食事種別等を、参加者ＩＤと関連付けてサーバ２上のデータベース９に記憶させ、これら記憶されたデータをコンピュータ上に表示するので、指導者は、参加者が摂取した食事の写真に基づいて適切に保健指導を行うことができる。また、参加者は、食事写真とともに指導者コメントを参照することにより、保健指導の内容を具体的に理解することができる。
【００６４】
なお、本発明は、上記実施形態の構成に限られず、発明の趣旨を変更しない範囲で種々の変形が可能である。例えば、参加者用コンピュータ５は、食事写真を取込むためにメモリカードスロット５ｅを備える構成ではなく、他の機器に接続することにより食事写真を取込むＵＳＢケーブルコネクタやＬＡＮケーブルコネクタを備える構成であっても構わない。また、サーバ２、指導者用コンピュータ３、または参加者用コンピュータ５等は、有線のケーブルＬを介してインターネットＮに接続する構成ではなく、無線によってインターネットＮに接続する構成であっても構わない。
【符号の説明】
【００６５】
１  保健指導システム
２  サーバ
２ａ  記憶部
２ｄ  ＣＰＵ（サーバ用制御手段）
３、４  指導者用コンピュータ
３ａ、４ａ  キーボード（指導者用入力手段）
３ｂ、４ｂ  モニタ（指導者用表示手段）
３ｄ、４ｄ  ＣＰＵ（指導者用制御手段）
５、６、７、８  参加者用コンピュータ
５ａ、６ａ、７ａ、８ａ  キーボード（指導者用入力手段）
５ｂ、６ｂ、７ｂ、８ｂ  モニタ（指導者用表示手段）
５ｄ、６ｄ、７ｄ、８ｄ  ＣＰＵ（指導者用制御手段）
５ｅ、６ｅ、７ｅ、８ｅ  メモリカードスロット（写真取込手段）
９１  ユーザＩＤテーブル
９２  体重データテーブル
９３  コメントデータテーブル
９４  食事データテーブル
１２  個人データ表示画面
１１、１４  参加者データ表示画面
１１ｉ、１２ｌ  変移グラフ
１１ｃ、１２ｃ、１４ｃ  グラフ表示窓
１２ｄ  体重数値表示窓
１０ａ、１１ｂ、１２ｂ、１３ａ、１４ｂ  コメント表示窓
１１ｅ、１４ｅ食事データ表示窓
【図１】
2010277476.tif 000003
【図２】
2010277476.tif 000004
【図３】
2010277476.tif 000005
【図４】
2010277476.tif 000006
【図１１】
2010277476.tif 000007
【図１２】
2010277476.tif 000008
【図５】
2010277476.tif 000009
【図６】
2010277476.tif 000010
【図７】
2010277476.tif 000011
【図８】
2010277476.tif 000012
【図９】
2010277476.tif 000013
【図１０】
2010277476.tif 000014